(57)【特許請求の範囲】
【請求項１】
それぞれガス注入バルブを通じて内部にガスが注入されて中空ドーナツ状を有する複数のフロートを上下方向に積み重ね、上下方向で隣接する前記フロート同士を連結して構成される略円筒状の浮揚体と、
前記複数のフロートのうち、最上部および最下部のフロートの内周側にそれぞれ設けられた２つの隔壁板と、を有し、
前記浮揚体の内周面と前記２つの隔壁板とによって、外部から水が浸入するのを防いで避難者を収容する閉鎖された収容空間が形成され、
前記２つの隔壁板には、避難者が前記収容空間に出入りするための扉がそれぞれ設けられており、前記浮揚体の上下が逆転した場合であっても前記避難者が何れか一方の前記扉を通じて出入りできる、
ことを特徴とする水害避難用簡易シェルター。
【請求項２】
前記２つの隔壁板の間で延在しかつ互いに離間して並設された２本のベルトからなる安全ベルトであって、前記浮揚体の内周面と前記２本のベルトとの間に避難者の身体を配置することで、当該避難者の転倒を防ぐ安全ベルトを備える、請求項１に記載の水害避難用簡易シェルター。
【請求項３】
前記２つの隔壁板には、外部から前記収容空間内に空気を取り込むための空気孔がそれぞれ形成され、
前記空気孔に対して手動操作で挿抜される閉塞栓をさらに有する、請求項1又は２に記載の水害避難用簡易シェルター。
【請求項４】
前記２つの隔壁板の扉には、外部を視認可能な透明材料からなる窓がそれぞれ設けられている、請求項１ないし３のいずれかに記載の水害避難用簡易シェルター。
【請求項５】
それぞれガス注入バルブを通じて内部にガスが注入されて中空ドーナツ状を有する複数のフロートを上下方向に積み重ね、上下方向で隣接する前記フロート同士を連結して構成される略円筒状の浮揚体と、
前記複数のフロートのうち、最上部および最下部のフロートの内周側にそれぞれ設けられた２つの隔壁板と、を有し、
前記浮揚体の内周面と前記２つの隔壁板とによって、外部から水が浸入するのを防いで避難者を収容する閉鎖された収容空間が形成され、
前記２つの隔壁板には、避難者が前記収容空間に出入りするための扉がそれぞれ設けられており、
端部が前記２つの隔壁板にそれぞれ固定され、前記２つの隔壁板の間で延在しかつ互いに離間して並設された２本のベルトからなる安全ベルトであって、前記浮揚体の内周面と前記２本のベルトとの間に避難者の身体を配置することで、当該避難者の転倒を防ぐ安全ベルトを備える、水害避難用簡易シェルター。
【発明の詳細な説明】
【技術分野】
【０００１】
本発明は、津波や洪水等の水害の発生の際に緊急避難用に使用する水害避難用簡易シェルターに関する。
【背景技術】
【０００２】
日本は地震国家であり、近い将来巨大地震が発生すると予想されており、巨大地震の発生で来襲する大きな津波に備えておく必要がある。また、地震に限らず、河川氾濫、洪水等の水害が発生しやすい場所でも、これに備えておく必要がある。
例えば、特許文献１は、平時にはコンパクトに保管でき、津波等の水害が発生した際には、衝撃吸収できるガス袋からなる略円筒形状の壁を持った避難用の居住空間を瞬時に形成し、漂流しながら救助を待つ携帯用の水害シェルターを開示している。
【先行技術文献】
【特許文献】
【０００３】
【特許文献１】特開２０１７−１７１２６５号公報
【発明の概要】
【発明が解決しようとする課題】
【０００４】
特許文献１の携帯用の水害シェルターでは、シェルターの最下部に設けた収納部にガス袋を瞬時に膨張させるための高圧ボンベや起動装置等の重量物を格納し、シェルター全体の重心位置を低くして、水面上にて常に正の復元性を持つ構造となっている。このため、特許文献１のシェルターでは、シェルター上部に設けられた蓋部を開閉して居住空間に対して出入りする構造となっている。
しかしながら、シェルターの最下部に収納部を設け、これに高圧ボンベや起動装置等の重量物を収納する構造では、携帯用のシェルターとしては重量が比較的重くなってしまい、高圧ボンベや起動装置等を設けることで、シェルターのコストも高くなってしまう。
また、津波や洪水の激流やこれに流される瓦礫の中ではシェルターの姿勢を安定的に保持するのは困難であり、シェルターが横転したり上下逆転したりすることも十分に想定される。シェルターが上下逆転してしまった状態では、シェルター上部に設けられた蓋部を開けることができず、シェルターから外部の状況を把握することや、シェルターから脱出することや、シェルター内に空気を取り込むことが困難となる。
さらに、シェルターの姿勢が安定的に保持されることを前提にシェルターのベース部に設けた安全ベルトで避難者をシェルター内に固定すると、シェルターが横転したり上下逆転したりするようなことが発生した場合には、避難者は適切な行動が取れず、逆に、危険な状態に陥る可能性もある。
【０００５】
本発明の目的の一つは、津波や洪水の激流やこれに流される瓦礫の中であっても、避難者の安全性をより高めることが可能な水害避難用簡易シェルターを提供することである。
本発明の他の目的は、より軽量化されて携帯性に優れ、収納保管時にコンパクトで、より低コスト化された水害避難用簡易シェルターを提供することである。
【課題を解決するための手段】
【０００６】
本発明の水害避難用簡易シェルターは、それぞれガス注入バルブを通じて内部にガスが注入されて中空ドーナツ状を有する複数のフロートを上下方向に積み重ね、上下方向で隣接する前記フロート同士を連結して構成される略円筒状の浮揚体と、
前記複数のフロートのうち、最上部および最下部のフロートの内周側にそれぞれ設けられた２つの隔壁板と、を有し、
前記浮揚体の内周面と前記２つの隔壁板とによって、外部から水が浸入するのを防いで避難者を収容する閉鎖された収容空間が形成され、
前記２つの隔壁板には、避難者が前記収容空間に出入りするための扉がそれぞれ設けられている、ことを特徴とする。
最上部および最下部のフロートにそれぞれ設けられる隔壁板の両方に扉を設けることで、シェルターが上下逆転し、一方の隔壁板が水没したような場合でも、他方の隔壁板に設けられた扉を通じて外部の状況を把握することや、シェルターから脱出することが可能となる。
【０００７】
好適には、前記２つの隔壁板の間で延在しかつ互いに離間して並設された２本のベルトからなる安全ベルトであって、前記浮揚体の内周面と前記２本のベルトとの間に避難者の身体を配置することで、当該避難者の転倒を防ぐ安全ベルトを備える。
この構成によれば、避難者は、これら２本のベルトと浮揚体の内周面との間に入り込むだけで転倒を防ぐことができ、他の操作を必要としない。避難者はシェルター外に脱出する際にも安全ベルトの解除操作の必要がない。
【０００８】
さらに好適には、前記２つの隔壁板には、外部から前記収容空間内に空気を取り込むための空気孔がそれぞれ形成され、
前記空気孔に対して手動操作で挿抜される閉塞栓をさらに有する。
２つの隔壁板に設けた空気孔にそれぞれ閉塞栓を挿すことで、水の侵入を確実に防ぎ、空気の取り込みが必要となった場合には、水没していない側の閉塞栓を手動で空気孔から抜くことで容易に対応できる。
【０００９】
さらに好適には、前記２つの隔壁板の扉には、外部を視認可能な透明材料からなる窓がそれぞれ設けられている、構成を採用できる。
２つの隔壁板の扉に窓を設けることで、シェルターが上下逆転していても、扉を開けることなく外部の状況を把握することができる。
【発明の効果】
【００１０】
本発明によれば、津波や洪水の激流やこれに流される瓦礫の中であっても、避難者の安全性を高めることが可能な水害避難用簡易シェルターが提供される。
また、本発明によれば、軽量化されて運搬性に優れ、保管時にコンパクトで、低コスト化された水害避難用簡易シェルターが提供される。
【図面の簡単な説明】
【００１１】
【図１】本発明の一実施形態に係る水害避難用簡易シェルターの外観斜視図。
【図２】図１の水害避難用簡易シェルターの扉を解放した状態を示す外観斜視図。
【図３】図１の水害避難用簡易シェルターの上面図。
【図４】図１の水害避難用簡易シェルターの概略的な構造を示す縦断面図。
【図５】フロート間の連結方法の一例を説明するための図。
【図６Ａ】隔壁板の構造を示す断面図。
【図６Ｂ】図６Ａの隔壁板の扉を開放した状態を示す断面図。
【図６Ｃ】図６Ａの隔壁板に設けられたロック機構の解除状態を示す断面図。
【図７】（ａ）は扉に形成された空気孔を閉塞栓で閉塞した状態を示す断面図であり、（ｂ）は空気孔から閉塞栓を抜きとった状態を示す断面図。
【図８Ａ】水害避難用簡易シェルターに設けた転倒防止用の安全ベルトの構造を示す図。
【図８Ｂ】シェルターの収容空間内に複数の安全ベルトを設けた図。
【図９】水害避難用簡易シェルターの保管状態における外形形態を模式的に示す斜視図。
【発明を実施するための形態】
【００１２】
以下、本発明の実施形態について図面を参照して説明する。
図１〜図４に本発明の一実施形態に係る水害避難用簡易シェルター（以下、シェルターと呼ぶ。）１の基本的構造を示す。
図１〜図４に示すように、シェルター１は、上下方向に積み重ねた複数（４つ）のフロート１０ａ〜１０ｄからなる略円筒形状の浮揚体１０と、最上部のフロート１０ａと最下部のフロート１０ｄの内周側にそれぞれ設けられた隔壁板２０，２０とを含み、浮揚体１０の内周面と２つの隔壁板２０，２０とによって、外部から水が浸入するのを防いで避難者ＥＨを収容する閉鎖された収容空間ＳＰが形成されている。
浮揚体１０を構成する複数のフロート１０ａ〜１０ｄの上下方向で隣接するフロート同士は、連結されている。
隔壁板２０,２０は、円板状に形成され、その外周縁部が最上部のフロート１０ａと最下部のフロート１０ｄの内周面に連結されている。
【００１３】
複数のフロート１０ａ〜１０ｄは、例えば、ゴム素材で形成され、タイヤチューブと同様の構造を有している。フロート１０ａ〜１０ｄの外周部には、ガス注入バルブ１１がそれぞれ設けられ、このガス注入バルブ１１を通じて空気等のガスがフロート１０ａ〜１０ｄの内部に注入充填されると、フロート１０ａ〜１０ｄは図１〜図４に示す中空ドーナツ状の形態を有することになる。
【００１４】
隔壁板２０は、フロート１０ａまたはフロート１０ｄの内周面に固定される略環状の固定部２２と、この固定部２２に形成された出入口２２ａを開閉する扉２４からなる。
固定部２２および扉２４はポリエステル等の樹脂で形成されている。なお、隔壁板２０の詳細構造については後述する。
扉２４は、ヒンジ２５によって固定部２２に連結されており、扉２４は外側に向かって開放できるようになっている。扉２４には、後述するように、窓２６および収容空間ＳＰに空気を取り込むための空気孔２８が形成されている。
【００１５】
図５にフロート１０ａ〜１０ｄ間の連結方法の一例を示す。
上下方向において隣接するフロート１０ａ、１０ｂの外周面には、周方向に部分的に布部材ｆｂが接着剤でそれぞれ貼着されている。布部材ｆｂは、クロロスルフォン化ポリエチレン（ＣＳＭ）やポリ塩化ビニル（ＰＶＣ）等の材料で形成され、領域Ｒ１で示す布部材ｆｂ同士が接触する部分は、縫合せにより結合されている。これにより、フロート１０ａとフロート１０ｂとの間が連結され、フロート１０ａとフロート１０ｂとが連結された部分からは水が浸入しないようになっている。他のフロート間も同様の方法で連結されている。
なお、隔壁板２０の固定部２２とフロート１０ａ,１０ｄとの連結方法も、布部材ｆｂを用いて接着により連結することができる。
【００１６】
図６Ａおよび図６Ｂに隔壁板２０の構造の一例を示す。
図６Ａおよび図６Ｂに示すように、隔壁板２０の固定部２２の上面側には、凹部２２ｃが形成され、凹部２２ｃの底面に出入口２２ａの周囲を囲む溝部２２ｂが形成されている。
扉２４の下面には、シール部材ＳＬが設けられており、扉２４を閉じたときに固定部２２の溝部２２ｂにシール部材ＳＬが嵌ることで、扉２４と出入口２２ａとの間がシールされる。図６Ａに示すように、扉２４は出入口２２ａを閉じた状態で、凹部２２ｃに嵌るようになっている。
扉２４には、透明な樹脂製の窓２６がはめ込まれており、窓２６を通じて外部から光Ｌが入射するようになっている。すなわち、シェルター１の収容空間ＳＰ内に光Ｌが射し込むとともに、収容空間ＳＰ内の避難者は窓２６を通じて外部の状況を把握できる。
なお、本実施形態では、扉２４に窓２６を設けたが、窓２６を設ける代わりに、扉２４を透明な材料で形成することも可能である。
扉２４の両面には、扉２４を開閉する際に掴むための取手２９が設けられている。
【００１７】
隔壁板２０の固定部２２の上面には、牽引用フック３０が設けられている。牽引用フック穴３０は、漂流しているシェルター１を船で曳航するときや、ヘリコプターで吊り上げる際に用いられる。
隔壁板２０の固定部２２の下面には、ハンドグリップ３１が設けられている。ハンドグリップ３１は、収容空間ＳＰ内の避難者が掴まるために設けられている。
なお、牽引用フック３０やハンドグリップ３１の設置位置や個数は、適宜変更できる。
【００１８】
扉２４の下面にはロック機構４０が設置されている。ロック機構４０は、出入口２２ａを閉じた扉２４が開かないように扉２４をロックするために設けられている。ロック機構４０は、扉２４に設けられた軸４４を中心に旋回可能に支持部材４４に支持された操作レバー４１と、操作レバー４１の先端部に設けられた係止部材４２とを備えている。ロック機構４０は、図６Ａに示す状態では、係止部材４２が固定部２２の下端面２２ｄに係止した状態にあり、扉２４はロック状態にある。操作レバー４１を旋回させて係止部材４２と固定部２２の下端面２２ｄとの係止状態を図６Ｃに示すように解除することによりロックが解除される。この状態にすることにより、図６Ｂに示したように、扉２４を開放することができる。
なお、扉２４の下面２２ｄのロック機構４０の係止部材４２が接触する部分には、扉２４の下面２２ｄの摩耗を防ぐため、ステンレス鋼等からなる薄い金属板を設けることも可能である。
ロック機構４０は、上下の扉２４,２４の両方に設けられ、避難者ＥＨが下側に位置するロック機構４０の操作レバー４１に意図せず当たって、ロック機構４０のロック状態が解除され、扉２４が意図せず開いてしまう可能性がある。これを防ぐために、ある程度大きな力が操作レバー４１に作用するまでは係止部材４２が動かないように、扉２４に突起等からなるストッパー等の安全機構を設けることができる。
【００１９】
図７に扉２４に形成した空気孔２８およびこの空気孔２８を閉塞するための閉塞栓５０を示す。閉塞栓５０は扉２４の下面にチェーン５１により繋げられている。空気孔２８は、先細りテーパ状に形成された孔であり、図７（ａ）に示すように、空気孔２８に先細りテーパ状に形成された閉塞栓５０を挿し込むことで、水の侵入を確実に防ぐことができる。シェルター１の収容空間ＳＰ内に空気を取り込む必要がある場合には、２つの扉２４のうち、水没していない側の扉２４の空気孔２８から閉塞栓５０を手動操作で抜くことで、図７（ｂ）に示すように、空気孔２８を通じて空気を取り込むことができる。
なお、本実施形態では、空気孔２８を扉２４に設けたが、これに限定されるわけではなく、２つの隔壁板２０の固定部２２にそれぞれ設けることも可能である。
【００２０】
図８Ａに、シェルター１の収容空間ＳＰに避難した避難者ＥＨの安全性を高めるために設けられた安全ベルト１０１を示す。
安全ベルト１０１は、可撓性を有する２本のベルト１０１ａ，１０１ｂからなり、２本のベルト１０１ａ，１０１ｂは上下２つの隔壁板２０の間で延在しかつ互いに離間して並設されている。ベルト１０１ａ，１０１ｂの一端は、上側の隔壁板２０の固定部２２に固定され、ベルト１０１ａ，１０１ｂの他端は、下側の隔壁板２０の固定部２２に固定されている。
避難者ＥＨは、図８Ａに示すように、浮揚体１０の内周面と２本のベルト１０１ａ，１０１ｂの間に自身の身体を置いて、２本のベルト１０１ａ，１０１ｂを外側から抱え込む、あるいは、両手で２本のベルト１０１ａ，１０１ｂを掴むことで、シェルター１の揺れにより収容空間ＳＰ内において転倒するのを避けることができる。避難者ＥＨは、特別な操作を必要とせず、シェルター外に脱出する際にも安全ベルト１０１の解除操作の必要がない。
安全ベルト１０１は、図８Ｂに示すように、複数箇所（２箇所）に設けることが好ましい。これにより、避難者ＥＨは、状況に応じて、使いやすい位置にある安全ベルト１０１を選択できる。
【００２１】
図９にシェルター１の保管状態における外形形態を概略的に示す。図８に示すように、各フロート１０ａ〜１０ｄにガスが充填されていない状態では、各フロート１０ａ〜１０ｄは平坦な状態で積み重ねられ、シェルター１は略円板状の形態となる。シェルター１は、高圧ボンベ等の重量物を備えていないため、非常に軽量であり、保管状態ではコンパクトになっている。このため、保管場所を大きく確保する必要がなく、運搬が容易である。
【００２２】
シェルター１を保管する際には、足踏み式のポンプ、ハンドポンプ、伝導ポンプ、エアコンプレッサー等の各フロート１０ａ〜１０ｄにガスを注入充填する器具とともに保管しておくことが好ましい。
【００２３】
津波や、洪水が来ることを検知すると、避難者はシェルター１を保管場所から適切な場所に運搬し、そこでフロート１０ａ〜１０ｄの各々に、上記したポンプやエアコンプレッサー等を用いてガスを充填し、フロート１０ａ〜１０ｄを膨らませる。
避難者は２つの扉２４の一方を開けて、収容空間ＳＰ内に避難する。シェルター１には、上下の隔壁板２０，２０のそれぞれに扉２４が設けられているので、一方の隔壁板２０が水没したような場合でも、他方の隔壁板２０に設けられた扉２４を通じて外部の状況を把握することができ、また、状況に応じて２つの扉２４のいずれか一方を開けてシェルター１から脱出することも可能である。
シェルター１は、複数のフロート１０ａ〜１０ｄにそれぞれガス注入バルブ１１が設けられ、内部のガスが独立しているため、いずれかのフロートが破損してガスが抜けたとしても、残りのフロートによって浮揚体１０が水面に浮かぶことができるので、シェルター１全体が水没するのを防ぐことができる。
【００２４】
以上、本発明の実施形態について詳述したが、本発明はかかる特定の実施例に限定されるものではなく、特許請求の範囲に記載された本発明の要旨の範囲内において、種々の変形・変更が可能である。
【符号の説明】
【００２５】
１  水害避難用簡易シェルター
１０  浮揚体
１０ａ〜１０ｄ  フロート
１１  ガス注入バルブ
２０  隔壁板
２２  固定部
２２a  出入口
２２ｂ  溝部
２２ｃ  下端面
ＳＬ  シール部材
２４  扉
２５  ヒンジ
２６  窓
２８  空気孔
２９  取手
３０  牽引用フック穴
３１  ハンドグリップ
４０  ロック機構
５０  閉塞栓
５１  チェーン
１０１  安全ベルト
１０１ａ、１０１ｂ  ベルト
【要約】
【課題】軽量化されて運搬性に優れ、保管時にコンパクトで、低コスト化された水害避難用簡易シェルターを提供する。
【解決手段】複数のフロート１０ａ〜１０ｄを上下方向に積み重ね、上下方向で隣接するフロート同士を連結して構成される略円筒状の浮揚体１０と、複数のフロート１０ａ〜１０ｄのうち、最上部および最下部のフロート１０ａ,１０ｄの内周側にそれぞれ設けられた２つの隔壁板２０，２０と、を有し、浮揚体１０の内周面と２つの隔壁板２０，２０とによって、外部から水が浸入するのを防いで避難者を収容する閉鎖された収容空間ＳＰが形成され、２つの隔壁板２０，２０には、避難者が収容空間ＳＰに出入りするための扉２４がそれぞれ設けられている。
【選択図】図４【図１】
0006937069.tif 000002
【図２】
0006937069.tif 000003
【図３】
0006937069.tif 000004
【図４】
0006937069.tif 000005
【図５】
0006937069.tif 000006
【図６Ａ】
0006937069.tif 000007
【図６Ｂ】
0006937069.tif 000008
【図６Ｃ】
0006937069.tif 000009
【図７】
0006937069.tif 000010
【図８Ａ】
0006937069.tif 000011
【図８Ｂ】
0006937069.tif 000012
【図９】
0006937069.tif 000013